(57)【特許請求の範囲】
【請求項１】
パチンコ台を直線搬送させる途中で停止させて、当該パチンコ台の表裏両面の各検査を同一場所で可能にすべく、検査ラインの検査部に組み込まれるパチンコ台検査装置であって、
前記パチンコ台を載せた状態で搬送可能であって、搬送方向に沿った中央部の垂直な回動軸心を中心にして回動可能にフレームの中間部材に支承された回動式コンベア単体と、
当該回動式コンベア単体に載せられたパチンコ台の垂直姿勢を維持させるべく、当該パチンコ台の上端部を支持するために前記フレームの上端部材に装着されたパチンコ台支持機構と、
前記回動式コンベア単体に載せられたパチンコ台の回動停止位置を定めるための位置決め装置と、
を備え、
前記パチンコ台支持機構は、
前記パチンコ台の過度の傾斜又は転倒を防止すべく、当該パチンコ台の上端部を支持して、前記フレームの上端部材に、前記回動式コンベア単体の回動軸心と同一の軸心を中心にして回動可能に支承されたパチンコ台支持具と、
前記パチンコ台支持具の内部に侵入した状態で、前記パチンコ台支持具の回動軸心位置に昇降可能に配置されて、当該パチンコ台支持具により垂直姿勢を確保されたパチンコ台の上端面を上方から押し付けるためのパチンコ台押付具と、を備え、
前記位置決め装置は、
前記パチンコ台支持具の上方の部分に、当該パチンコ台支持具の回動軸心と同心となって一体に設けられた位置決め円板体と、前記フレームの上端部材における当該位置決め円板体の側方に配置されて、当該位置決め円板体の外周部の対向位置に形成された一対の位置決め凹部に対して付勢状態で嵌合される嵌合体がロッドの先端部に取付けられた加圧シリンダと、から成り、
パチンコ台の検査時には、当該パチンコ台の上端面を前記パチンコ台押付具で押し付けた状態で、前記回動式コンベア単体とパチンコ台支持具とを一体にして回動させて、前記位置決め装置により当該パチンコ台の回動停止位置を定めて、その表裏両面の検査を行い、前記検査部に対するパチンコ台の搬入出時には、前記パチンコ台押付具をパチンコ台の上端面に対して離間させた状態で、前記回動式コンベア単体及びパチンコ台支持具を搬送方向に沿わせて配置して、前記検査部に対してパチンコ台の搬入出を行う構成であることを特徴とするパチンコ台検査装置。
【請求項２】
前記パチンコ台支持具は、断面Ｌ字状をなしていて、パチンコ台の表面の側は開放されていることを特徴とする請求項１に記載のパチンコ台検査装置。
【発明の詳細な説明】
【技術分野】
【０００１】
本発明は、パチンコ台を直線搬送させる途中で停止させて、当該パチンコ台の表裏両面の各検査を同一場所で可能にするために、検査ラインの検査部に組み込まれるパチンコ台検査装置に関するものである。
【背景技術】
【０００２】
パチンコ台の検査には、釘打状態、役物装置の配置状態、セーフ玉或いはアウト玉の流れの状態等の表面の検査と、ワイヤーハーネスの配線状態を含む電機系統等の裏面の検査との二種類がある。特許文献１には、パチンコ台の表面と裏面の各検査を別の場所で行っていたものを、同一場所で行うことにより、検査能率の向上、検査員の削減、検査ラインの短縮等を実現したパチンコ台検査装置が開示されている。
【０００３】
特許文献１の装置は、ローラコンベア１０に載せられたパチンコ台８の垂直姿勢を維持させるために、当該パチンコ台８の上端部を支持する支持具１４が昇降すると共に、当該支持具１４を上昇させておいて、昇降用シリンダ１８により昇降される押付具２０により、パチンコ台８の上端面を押し付けた状態で、パチンコ台８を回動させる構成であった。
【０００４】
よって、検査を終えて検査部からパチンコ台８を搬出させる際には、パチンコ台８の上端部から上昇している支持具１４を下降させて、当該パチンコ台８の上端部に支持具１４を再嵌着させており、この支持具１４の再嵌着時において、支持具１４がパチンコ台８の上端部に対してうまく嵌着せずに、当該支持具１４によりパチンコ台８の上端部が損傷、或いは僅かに折損されたりする事態が発生していた。
【０００５】
また、パチンコ台８の検査面を裏面に変更させたり、或いは裏面の検査の後に表面を前面に向けるために、パチンコ台８を１８０°回動（半回転）させる際に、当該パチンコ台８は、押付具２０により上端部が一点状に支持されているのみであるため、パチンコ台８の回動時、或いは回動後であって、支持具１４によりパチンコ台８の上端部を嵌着支持される前に、当該パチンコ台８に対して不意に外力が作用すると、押付具２０によるパチンコ台８の一点状支持が外れて、パチンコ台８が傾斜したり、極端な場合には、倒れてしまう不具合があった。
【先行技術文献】
【特許文献】
【０００６】
【特許文献１】実開平１−１４４０８２号公報
【発明の概要】
【発明が解決しようとする課題】
【０００７】
本発明は、パチンコ台の表裏の検査面の変更の際に、パチンコ台の上端部をパチンコ台支持具で常に支持状態にしておくことにより、パチンコ台の傾斜或いは転倒を防止すると共に、パチンコ台支持具の昇降に起因するパチンコ台の上端部の損傷を防止できるパチンコ台検査装置の提供を課題としている。
【課題を解決するための手段】
【０００８】
上記課題を解決するための請求項１の発明は、パチンコ台を直線搬送させる途中で停止させて、当該パチンコ台の表裏両面の各検査を同一場所で可能にすべく、検査ラインの検査部に組み込まれるパチンコ台検査装置であって、前記パチンコ台を載せた状態で搬送可能であって、搬送方向に沿った中央部の垂直な回動軸心を中心にして回動可能にフレームの中間部材に支承された回動式コンベア単体と、当該回動式コンベア単体に載せられたパチンコ台の垂直姿勢を維持させるべく、当該パチンコ台の上端部を支持するために前記フレームの上端部材に装着されたパチンコ台支持機構と、前記回動式コンベア単体に載せられたパチンコ台の回動停止位置を定めるための位置決め装置とを備え、前記パチンコ台支持機構は、前記パチンコ台の過度の傾斜又は転倒を防止すべく、当該パチンコ台の上端部を支持して、前記フレームの上端部材に、前記回動式コンベア単体の回動軸心と同一の軸心を中心にして回動可能に支承されたパチンコ台支持具と、前記パチンコ台支持具の内部に侵入した状態で、前記パチンコ台支持具の回動軸心位置に昇降可能に配置されて、当該パチンコ台支持具により垂直姿勢を確保されたパチンコ台の上端面を上方から押し付けるためのパチンコ台押付具とを備え、前記位置決め装置は、前記パチンコ台支持具の上方の部分に、当該パチンコ台支持具の回動軸心と同心となって一体に設けられた位置決め円板体と、前記フレームの上端部材における当該位置決め円板体の側方に配置されて、当該位置決め円板体の外周部の対向位置に形成された一対の位置決め凹部に対して付勢状態で嵌合される嵌合体がロッドの先端部に取付けられた加圧シリンダとから成り、パチンコ台の検査時には、当該パチンコ台の上端面を前記パチンコ台押付具で押し付けた状態で、前記回動式コンベア単体とパチンコ台支持具とを一体にして回動させて、前記位置決め装置により当該パチンコ台の回動停止位置を定めて、その表裏両面の検査を行い、前記検査部に対するパチンコ台の搬入出時には、前記パチンコ台押付具をパチンコ台の上端面に対して離間させた状態で、前記回動式コンベア単体及びパチンコ台支持具を搬送方向に沿わせて配置して、前記検査部に対してパチンコ台の搬入出を行う構成であることを特徴としている。
【０００９】
請求項１の発明によれば、検査部に搬入されたパチンコ台は、全体が回動式コンベア単体に載せられて、その上端部は、パチンコ台支持機構を構成するパチンコ台支持具により過度の傾斜又は転倒を防止するように支持され、パチンコ台支持機構を構成するパチンコ台押付具により、当該パチンコ台の上端面を押し付けると、パチンコ台の垂直姿勢が維持される。この状態で、パチンコ台の表面の側の検査を行う。なお、検査時には、回動式コンベア単体は、回動しないようにロックされている。
【００１０】
回動式コンベア単体の垂直な回動軸心と、パチンコ台支持機構を構成するパチンコ台支持具の回動軸心とは一致しており、しかもパチンコ台押付具は、回動式コンベア単体、及びパチンコ台支持具の共通する回動軸心上に配置されているために、回動式コンベア単体に載せられたパチンコ台の上端面をパチンコ台押付具により押し付けた状態で、回動式コンベア単体とパチンコ台支持具とは、パチンコ台を介して一体となって回動可能な構造となる。従って、パチンコ台の裏面の検査を行うには、回動式コンベア単体のロックを解除して、パチンコ台を人手により１８０°回動（半回転）させると、当該パチンコ台を介して一体となっている回動式コンベア単体とパチンコ台支持具とは、一体状となって回動させられて、パチンコ台の裏面が手前側を向く。この状態で、回動式コンベア単体が回動しないようにロックして、パチンコ台の裏面の検査を行う。
【００１１】
パチンコ台の裏面の検査を終えた後には、再度、パチンコ台を１８０°回動（半回転）させて、表面を手前側に配置し、この状態で、パチンコ台押付具による押付けを解除して、検査部からパチンコ台を搬出させる。
【００１２】
このように、請求項１の発明では、フレームの上端部材に回動可能に支持されたパチンコ台支持具は、パチンコ台の回動方向に沿ったいずれの位置においても、常にパチンコ台の上端部を支持していて、パチンコ台に対して昇降しないために、パチンコ台支持具によりパチンコ台の上端部が損傷されることはなくなると共に、パチンコ台の回動中において、パチンコ台が傾斜する等して、パチンコ台押付具によるパチンコ台の上端面の押付けが解除されても、当該パチンコ台は、パチンコ台支持具により支持されているため、大きく傾斜したり、或いは転倒したりしない。
【００１３】
【００１４】
また、請求項１の発明によれば、パチンコ台支持具には、当該パチンコ台支持具と一体に回転する位置決め円板体が設けられていて、パチンコ台の表面、及び裏面がそれぞれ前面を向いた検査位置においては、前記位置決め円板体の外周部に設けられた各位置決め凹部に、加圧シンリダのロッドの先端の嵌合体が嵌合して、パチンコ台支持具が二つの検査位置に位置決めされる。このため、パチンコ台は、下端部を支持している回動式コンベア単体、及び上端部を支持しているパチンコ台支持具の双方が位置決めされるため、検査時におけるパチンコ台の垂直配置姿勢が確定されて、微動しなくなるので、安定して検査作業を行える。
【００１５】
請求項２の発明は、請求項１の発明において、前記パチンコ台支持具は、断面Ｌ字状をなしていて、パチンコ台の表面の側は開放されていることを特徴としている。
【００１６】
回動式ローラコンベア上にパチンコ台を垂直に載せた場合には、パチンコ台の重心は裏面側に存在しているので、パチンコ台は裏面側に傾斜することはあっても、表面側に傾斜することは殆どないと共に、パチンコ台検査装置に対してパチンコ台が表面を検査員の立つ側を向いて搬入・搬出される際には、検査員が常にいるために、請求項２の発明のように、パチンコ台の上端部を支持するパチンコ台支持具が断面Ｌ字状をなしていて、パチンコ台の表面の側が開放されていても問題ないと共に、何らかの理由により、パチンコ台検査装置からパチンコ台を手前側に取り出す際には、パチンコ台支持具には、当該パチンコ台の上端部と干渉する部分が存在しないので、パチンコ台の取り出しが容易となる利点もある。
【発明の効果】
【００１７】
本発明によれば、フレームの上端部材に回動可能に支持されたパチンコ台支持具は、パチンコ台の回動方向に沿ったいずれの位置においても、常にパチンコ台の上端部を支持していて、パチンコ台に対して昇降しないために、パチンコ台支持具の下降時にパチンコ台の上端部が損傷されることはなくなると共に、パチンコ台の回動中において、当該パチンコ台が傾斜する等して、パチンコ台押付具によるパチンコ台の上端面の押付けが解除されても、当該パチンコ台は、パチンコ台支持具により支持されているため、大きく傾斜したり、或いは転倒したりしない。また、パチンコ台は、位置決め装置によって、下端部を支持している回動式コンベア単体、及び上端部を支持しているパチンコ台支持具の双方が位置決めされるため、検査時におけるパチンコ台の垂直配置姿勢が確定されて、微動しなくなるので、安定して検査作業を行える。
【図面の簡単な説明】
【００１８】
【図１】本発明に係るパチンコ台検査装置Ａが組み込まれた検査ラインの全体斜視図である。
【図２】パチンコ台検査装置Ａの正面断面図である。
【図３】同じく右側面図である。
【図４】（ａ），（ｂ）は、それぞれパチンコ台Ｐの上端部の位置決め装置の「位置決め状態」及び「非位置決め状態」を示す図である。
【図５】パチンコ台検査装置Ａの斜視図である。
【図６】パチンコ台Ｐの上端部の位置決め装置の斜視図である。
【図７】（ａ）〜（ｃ）は、本発明のパチンコ台検査装置Ａの作用説明図である。
【図８】検査ラインの走行部Ｂの縦断面図である。
【発明を実施するための形態】
【００１９】
以下、図１〜図６に示される実施例を挙げて、本発明について更に詳細に説明する。図１に示されるように、検査ラインには、パチンコ台Ｐの搬送方向Ｑに沿って、パチンコ台検査装置Ａと走行部Ｂとが交互に配置されている。
【００２０】
パチンコ台検査装置Ａは、フレームＦの中間棚部７１に垂直回動軸１（垂直回動軸心Ｃ）を中心にして回動可能に支持された回動式ローラコンベア単体Ｄ1 と、当該回動式ローラコンベア単体Ｄ1 の直上に配置されて、当該ローラコンベア単体Ｄ1 の垂直回動軸心Ｃと同一軸心を中心にして回動可能なように、前記フレームＦの上端枠部７２に支持されたパチンコ台支持具Ｓ1 とから成る。回動式ローラコンベア単体Ｄ1 は、ローラフレーム２に多数のローラ３が回転可能に支持されていて、ローラフレーム２の裏面に一体に取付けられた円板体４には、１８０°位相の異なる部分に一対の位置決め孔５が設けられている。円板体４の各位置決め孔５には、垂直回動軸１の側方に配置されて位置決めシリンダ６の位置決めピン７が挿脱する構成になっている。なお、前記垂直回動軸１は、中間棚部７１に固定されたハウジング８に回動可能に支持されている。
【００２１】
パチンコ台支持具Ｓ1 は、回動式ローラコンベア単体Ｄ1 に載せられたパチンコ台Ｐを垂直に保持するために、当該パチンコ台Ｐの上端部を保持するための部材であって、前記回動式ローラコンベア単体Ｄ1 の垂直回動軸心Ｃと同一の軸心を中心にして水平面内で回動可能なように、フレームＦの上端枠部７２に支持されている。即ち、図２、図３及び図５に示されるように、パチンコ台支持具Ｓ1 は、断面Ｌ字状をなしていて、その天板部１０の上方には、一体連結体１２を介して位置決め円板体１３が一体に取付けられている。位置決め円板体１３の中心は、前記垂直回動軸心Ｃと一致している。位置決め円板体１３の上面には、支持筒１４が一体に取付けられていて、当該支持筒１４は、フレームＦの上端枠部７２の支持体１５に軸受１６を介して回動可能となって吊下げ状態で支持されている。この構成により、パチンコ台支持具Ｓ1 は、回動式ローラコンベア単体Ｄ1 の直上に、当該回動式ローラコンベア単体Ｄ1 の垂直回動軸心Ｃと同一の軸心を中心に回動可能なように、フレームＦの上端枠部７２に支持される。パチンコ台支持具Ｓ1 の側板部１１の内側面には、回動式ローラコンベア単体Ｄ1 に載せられ支持されたパチンコ台Ｐが所定角度を超えて裏面側に傾斜した場合に当接するクッション体１７が取付けられている。なお、パチンコ台支持具Ｓ1 は、断面Ｌ字状をなしていて、パチンコ台Ｐの表面Ｐ1 が配置される側が開放されているのは、パチンコ台Ｐは、起立状態で重心の存在する裏面側に傾斜しようとするが、前面側に傾斜することは殆どないからである。また、パチンコ台支持具Ｓ1 の表面側が開放されているために、何らかの理由により、パチンコ台検査装置Ａからパチンコ台Ｐを取り外す必要が生じた場合には、パチンコ台支持具Ｓ1 の表面側にパチンコ台Ｐと干渉する部材が存在しないために、パチンコ台Ｐの表面側への取り外しが容易となる利点がある。
【００２２】
また、前記位置決め円板体１３とフレームＦの上端枠部７２との間には、シリンダ取付け板１８が配置されている。シリンダ取付け板１８は、一対の取付け具１９を介してフレームＦの上端枠部７２に一体に取付けられている。前記位置決め円板体１３の外周部におけるパチンコ台支持具Ｓ1 の長手方向と交差する対向位置（１８０°位相の異なる位置）には、一対の位置決め凹部２１ａ，２１ｂが形成されていて、当該各位置決め凹部２１ａ，２１ｂに嵌合体２２を付勢状態で嵌合させるための加圧シリンダ２３が前記シリンダ取付け板１８の裏面に取付けられている。即ち、図４に示されるように、加圧シリンダ２３のロッド２４の先端部に前記嵌合体２２が一体に取付けられていて、垂直回動軸心Ｃを中心にしてパチンコ台Ｐが回動して、その長手方向が搬送方向Ｑに沿うと、ロッド２４の先端部に嵌合体２２は、一対の位置決め凹部２１ａ，２１ｂのいずれかに嵌合されて、当該位置において、パチンコ台Ｐが回動しないようにロックされることにより、位置止めされる。パチンコ台支持具Ｓ1 に一体に取付けられた位置決め円板体１３と、フレームＦの上端枠部７２にシリンダ取付け板１８を介して取付けられた加圧シンリダ２３とで、パチンコ台支持具Ｓ1 の上端部を位置決めするための位置決め装置が構成される。従って、例えば、パチンコ台Ｐの前面が検査員の立つ側Ｋ（図３参照）を向いている状態で、当該パチンコ台Ｐをいずれかの方向に１８０°回動させると、一対の位置決め凹部２１ａ，２１ｂの他方に嵌合体２２が嵌合されて、パチンコ台Ｐの裏面が検査員の立つ側Ｋを向いて位置決めされる。
【００２３】
また、回動式ローラコンベア単体Ｄ1 に垂直となって載せられたパチンコ台Ｐの上端面は、パチンコ台押付具Ｔにより押し付けられて、当該パチンコ台Ｐの垂直姿勢を保持させる構成になっている。即ち、フレームＦの上端枠部７２に垂直に取付けられた昇降シリンダ３１のロッド３２は、前記支持筒１４の内部に挿入されていて、当該ロッド３２と、前記パチンコ台支持具Ｓ1 の内側に配置された押付体３３とは、連結体３４を介して連結されている。連結体３４は、位置決め円板体１３及びパチンコ台支持具Ｓ1 の天板部１０に形成された各貫通孔１３ａ，１０ａを貫通している。押付体３３は、取付け板体３５の裏面に、パチンコ台Ｐの上端面に押し付けられる一対の押付部材３６が取付けられた構成であって、取付け板体３５の上面の連結部３７は、前記連結体３４の下端部に軸受３８を介して回動可能に連結されている。パチンコ台支持具Ｓ1 とパチンコ台押付具Ｔとで、パチンコ台Ｐの上端部を支持するパチンコ台支持機構が構成される。このため、昇降シリンダ３１のロッド３２を突出させて、押付体３３を構成する一対の押付部材３６をパチンコ台Ｐの上端面Ｐ3 に対して押し付けることにより、回動式ローラコンベア単体Ｄ1 に垂直に載せられたパチンコ台Ｐの垂直姿勢を維持できる。また、パチンコ台検査装置Ａに対してパチンコ台Ｐを搬入・搬出させる際には、昇降シリンダ３１のロッド３２を引っ込めて、パチンコ台Ｐの上端面Ｐ3 に対して一対の押付部材３６を離間させておく。
【００２４】
なお、パチンコ台Ｐの走行部Ｂは、図１及び図８に示されるように、フレームＦの中間棚部７１に固定配置された固定式ローラコンベア単体Ｄ2 と、その直上のフレームＦの上端枠部７２に固定配置されたパチンコ台支持具Ｓ2 とで構成され、固定式ローラコンベア単体Ｄ2 に載せられて駆動走行される検査済のパチンコ台Ｐの上端部は、パチンコ台支持具Ｓ2 の両側板部８１のいずれかの内側に支持可能となって走行する。各パチンコ台検査装置Ａを構成する回動式ローラコンベア単体Ｄ1 と、各走行部Ｂを構成する固定式ローラコンベア単体Ｄ2 とは、搬送方向Ｑに沿って一直線状に配置されて、ローラコンベアを構成している。なお、固定式ローラコンベア単体Ｄ2 のローラ３は、駆動回転される。
【００２５】
そして、表面Ｐ1 を検査員の立つ側に向けて、パチンコ台検査装置Ａに搬入されたパチンコ台Ｐは、回動式ローラコンベア単体Ｄ1 の複数のローラ３の上に垂直に支持された状態で、上端部は、パチンコ台支持具Ｓ1 の内部に配置されている。この状態で、昇降シリンダ３１のロッド３２の下降により、押付体３３の一対の押付部材３６がパチンコ台Ｐの上端面Ｐ3 を押し付けることにより、パチンコ台Ｐの垂直姿勢が維持される。また、パチンコ台支持具Ｓ1 に一体に取付けられた位置決め円板体１３の一方の位置決め凹部２１ａには、加圧シリンダ２３の加圧力により嵌合体２２が押圧嵌合されることにより、回動式ローラコンベア単体Ｄ1 の直上に配置されたパチンコ台支持具Ｓ1 は、当該回動式ローラコンベア単体Ｄ1 と平行な関係を維持している。この状態で、パチンコ台Ｐの表面Ｐ1 の諸検査を行う。
【００２６】
パチンコ台Ｐの表面Ｐ1 の検査の終了後には、図５及び図７（ｂ）に示されるように、昇降シリンダ３１のロッド３２を上昇させて、押付体３３の一対の押付部材３６がパチンコ台Ｐの上端面Ｐ3 から離間させた状態（この状態が、図２及び図３で２点鎖線で示されている）で、検査員の手動によりパチンコ台Ｐを半回転させて、裏面Ｐ2 を検査員の立つ側Ｋに向ける。パチンコ台Ｐの回動中には、図４（ｂ）に示されるように、加圧シリンダ２３のロッド２４の先端の嵌合体２２は、位置決め円板体１３の外周面に押圧されていて、パチンコ台Ｐの裏面が検査員の立つ側Ｋを向くと、当該嵌合体２２は、別の位置決め凹部２１ｂに押圧嵌合されて、パチンコ台支持具Ｓ1 の搬送方向Ｑに沿った配置位置が維持される。この状態で、再度、昇降シリンダ３１のロッド３２の下降により、押付体３３の一対の押付部材３６によりパチンコ台Ｐの上端面Ｐ3 を押し付けて、パチンコ台Ｐの垂直姿勢を維持しておいて、パチンコ台Ｐの裏面Ｐ2 の検査を行う。
【００２７】
このように、フレームＦの上端枠部７２に回動可能に支持されたパチンコ台支持具Ｓ1 は、パチンコ台Ｐの回動方向に沿ったいずれの位置においても、常にパチンコ台Ｐの上端部を支持していて、パチンコ台Ｐに対して昇降しないために、パチンコ台支持具Ｓ1 の下降時にパチンコ台の上端部が損傷されることはなくなると共に、パチンコ台Ｐの回動中において、当該パチンコ台Ｐが傾斜する等して、パチンコ台押付具Ｔによるパチンコ台Ｐの上端面Ｐ3 の押付けが解除されても、当該パチンコ台Ｐは、パチンコ台支持具Ｓ1 の側板部１１により支持されているため、裏面側に過度に傾斜したり、或いは転倒したりしない利点がある。
【００２８】
パチンコ台Ｐの裏面Ｐ2 の検査を終えた後には、再度、パチンコ台Ｐを半回転させて、表面Ｐ1 を検査員の立つ側Ｋに向け、この状態で、パチンコ台Ｐを側方の走行部Ｂに移動させる。
【００２９】
なお、上記実施例では、パチンコ台支持具Ｓ1 は、断面がＬ字状をなしていて、パチンコ台支持具Ｓ1 からパチンコ台Ｐを表面Ｐ1 の側に取り出し易い構成になっているが、パチンコ台支持具Ｓ1 は、走行部Ｂのパチンコ台支持具Ｓ2 のように、断面コの状に形成して、表裏のいずれかの側にも過度に傾斜しない構成にすることも可能である。
【符号の説明】
【００３０】
Ａ：パチンコ台検査装置
Ｃ：回動式ローラコンベア単体とパチンコ台支持具の共通の垂直回動軸心
Ｄ1 ：回動式ローラコンベア単体
Ｆ：フレーム
Ｋ：検査員の立つ側
Ｐ：パチンコ台
Ｐ1 ：パチンコ台の表面
Ｐ2 ：パチンコ台の裏面
Ｐ3 ：パチンコ台の上端面
Ｑ：パチンコ台の搬送方向
Ｓ1 ：パチンコ台支持具（パチンコ台支持機構）
Ｔ：パチンコ台押付具（パチンコ台支持機構）
１３：位置決め円板体（位置決め装置）
２１ａ，２１ｂ：位置決め凹部
２２：嵌合体（位置決め装置）
２３：加圧シリンダ（位置決め装置）
２４：加圧シリンダのロッド
３１：昇降シリンダ
【図１】
0005468584.tif 000002
【図２】
0005468584.tif 000003
【図３】
0005468584.tif 000004
【図４】
0005468584.tif 000005
【図５】
0005468584.tif 000006
【図６】
0005468584.tif 000007
【図７】
0005468584.tif 000008
【図８】
0005468584.tif 000009